【手続補正書】
【提出日】平成28年10月3日(2016.10.3)
【手続補正１】
【補正対象書類名】明細書
【補正対象項目名】発明の名称
【補正方法】変更
【補正の内容】
【発明の名称】ディザパタン作成方法
【手続補正２】
【補正対象書類名】明細書
【補正対象項目名】０００８
【補正方法】変更
【補正の内容】
【０００８】
そのために本発明は、１〜ＭＡＸの閾値が配置される第１ディザパタンと第２ディザパタンを含む複数のディザパタンを作成するディザパタン作成方法であって、所定のディザパタン領域に、ブルーノイズ特性を有するように２×Ｓ×Ｎ個（Ｓ、Ｎは１≦Ｓ＜ＭＡＸ、１≦Ｎを満足する整数）のドットを配置して初期ドットパタンを生成する初期ドットパタン生成工程と、前記初期ドットパタンに配置された２×Ｓ×Ｎ個のドットを、第１ドットパタンおよび第２ドットパタンの夫々でブルーノイズ特性を有するように、前記第１ドットパタンおよび前記第２ドットパタンに分配する分配工程と、前記初期ドットパタンおよび前記第１ドットパタンにおいて、ドット密度の高い位置にはより高い値の閾値が設定されるように、前記第１ドットパタンに対応づけた画素に１〜Ｓの閾値をそれぞれＮ個ずつ設定することにより、第１ディザパタンを作成する工程と、前記初期ドットパタンおよび前記第２ドットパタンにおいて、ドット密度の高い位置にはより高い値の閾値が設定されるように、前記第２ドットパタンに対応づけた画素に１〜Ｓの閾値をそれぞれＮ個ずつ設定することにより、第２ディザパタンを作成する工程とを有することを特徴とする。
【手続補正３】
【補正対象書類名】特許請求の範囲
【補正対象項目名】全文
【補正方法】変更
【補正の内容】
【特許請求の範囲】
【請求項１】
１〜ＭＡＸの閾値が配置される第１ディザパタンと第２ディザパタンを含む複数のディザパタンを作成するディザパタン作成方法であって、
所定のディザパタン領域に、ブルーノイズ特性を有するように２×Ｓ×Ｎ個（Ｓ、Ｎは１≦Ｓ＜ＭＡＸ、１≦Ｎを満足する整数）のドットを配置して初期ドットパタンを生成する初期ドットパタン生成工程と、
前記初期ドットパタンに配置された２×Ｓ×Ｎ個のドットを、第１ドットパタンおよび第２ドットパタンの夫々でブルーノイズ特性を有するように、前記第１ドットパタンおよび前記第２ドットパタンに分配する分配工程と、
前記初期ドットパタンおよび前記第１ドットパタンにおいて、ドット密度の高い位置にはより高い値の閾値が設定されるように、前記第１ドットパタンに対応づけた画素に１〜Ｓの閾値をそれぞれＮ個ずつ設定することにより、第１ディザパタンを作成する工程と、
前記初期ドットパタンおよび前記第２ドットパタンにおいて、ドット密度の高い位置にはより高い値の閾値が設定されるように、前記第２ドットパタンに対応づけた画素に１〜Ｓの閾値をそれぞれＮ個ずつ設定することにより、第２ディザパタンを作成する工程と
を有することを特徴とするディザパタン作成方法。
【請求項２】
１〜ＭＡＸの閾値が配置される第１ディザパタンと第２ディザパタンを含む複数のディザパタンを作成するディザパタン作成方法であって、
所定のディザパタン領域に、ブルーノイズ特性を有するようにＳ×Ｎ個（Ｓ、Ｎは１≦Ｓ＜ＭＡＸ、１≦Ｎを満足する整数）のドットを配置して第１ドットパタンを生成する第１ドットパタン生成工程と、
前記第１ドットパタンと第２ドットパタンを合成したドットパタンおよび前記第２ドットパタンの夫々でブルーノイズ特性を有するように、前記第２ドットパタンを生成する第２ドットパタン生成工程と、
前記第１ドットパタンおよび前記第２ドットパタンを合成した合成ドットパタンを生成する工程と、
前記合成ドットパタンおよび前記第１ドットパタンにおいてドット密度の高い位置にはより高い値の閾値が設定されるように、前記第１ドットパタンに対応づけた画素に１〜Ｓの閾値をそれぞれＮ個ずつ設定することにより、第１ディザパタンの閾値を設定する第１の閾値設定工程と、
前記合成ドットパタンおよび前記第２ドットパタンにおいて、ドット密度の高い位置にはより高い値の閾値が設定されるように、前記第２ドットパタンに対応づけた画素に１〜Ｓの閾値をそれぞれＮ個ずつ設定することにより、第２ディザパタンの閾値を設定する第２の閾値設定工程と
を有することを特徴とするディザパタン作成方法。
【請求項３】
１〜ＭＡＸの閾値が配置される第１ディザパタンと第２ディザパタンを含む複数のディザパタンを作成するディザパタン作成方法であって、
所定のディザパタン領域に、ブルーノイズ特性を有するようにＳ×Ｎ個（Ｓ、Ｎは１≦Ｓ＜ＭＡＸ、１≦Ｎを満足する整数）のドットを配置して第１ドットパタンを生成する第１ドットパタン生成工程と、
前記所定のディザパタン領域にブルーノイズ特性を有するように、且つ前記第１ドットパタンとの合成においてブルーノイズ特性を有するように、Ｓ×Ｎ個（Ｓ、Ｎは１≦Ｓ＜ＭＡＸ、１≦Ｎを満足する整数）のドットを配置して第２ドットパタンを生成する第２ドットパタン生成工程と、
前記第１ドットパタンおよび前記第２ドットパタンにおいてドット密度の高い位置にはより高い値の閾値が設定されるように、前記第１ドットパタンに対応づけた画素に１〜Ｓの閾値をそれぞれＮ個ずつ設定することにより、第１ディザパタンの閾値を設定する第１の閾値設定工程と、
前記第１ドットパタンおよび前記第２ドットパタンにおいて、ドット密度の高い位置にはより高い値の閾値が設定されるように、前記第２ドットパタンに対応づけた画素に１〜Ｓの閾値をそれぞれＮ個ずつ設定することにより、第２ディザパタンの閾値を設定する第２の閾値設定工程と
を有することを特徴とするディザパタン作成方法。
【請求項４】
前記第１ドットパタンに対し、ドット密度の低い位置により低い値の閾値が設定されるように、前記第１の閾値設定工程で１〜Ｓの閾値が設定された前記第１ディザパタンに対し、前記前記第１ドットパタンに対応づけた画素にＳ＋１以上の閾値を設定する第３の閾値設定工程と
前記第２ドットパタンに対し、ドット密度の低い位置により低い値の閾値が設定されるように、前記第２の閾値設定工程で１〜Ｓの閾値が設定された前記第１ディザパタンに対し、前記前記第２ドットパタンに対応づけた画素にＳ＋１以上の閾値を設定する第４の閾値設定工程と
を更に有することを特徴とする請求項１から３のいずれか１項に記載のディザパタン生成方法。
【請求項５】
前記第１ドットパタンの領域において、前記第１ドットパタンの各ドットに対し前記第２ドットパタン内の隣接するドットの数が、隣接する方向においてほぼ均等になるように、前記第１の閾値設定工程で１〜Ｓの閾値が設定された前記第１ディザパタンに対し、前記前記第１ドットパタンに対応づけた画素にＳ＋１以上の閾値を設定する第３の閾値設定工程と、
前記第２ドットパタンの領域において、前記第２ドットパタンの各ドットに対し前記第１ドットパタン内の隣接するドットの数が、隣接する方向においてほぼ均等になるように、前記第１の閾値設定工程で１〜Ｓの閾値が設定された前記第２ディザパタンに対し、前記前記第２ドットパタンに対応づけた画素にＳ＋１以上の閾値を設定する第４の閾値設定工程と
を更に有することを特徴とする請求項１から３のいずれか１項に記載のディザパタン生成方法。
【請求項６】
前記第１ディザパタンと前記第２ディザパタンは異なる色の記録材に使用されることを特徴とする請求項１から５のいずれか１項に記載のディザパタン生成方法。
【請求項７】
前記第１ディザパタンと前記第２ディザパタンは等しい色の記録材に使用されることを特徴とする請求項１から５のいずれか１項に記載のディザパタン生成方法。
【請求項８】
前記初期ドットパタン生成工程および前記分配工程は、ガウスフィルタまたはローパスフィルタを用いてブルーノイズ特性を有するドットパタンを生成することを特徴とする請求項１に記載のディザパタン生成方法。
【請求項９】
前記第１ドットパタン生成工程および前記第２ドットパタン生成は、ガウスフィルタまたはローパスフィルタを用いてブルーノイズ特性を有するドットパタンを生成することを特徴とする請求項２または３に記載のディザパタン生成方法。